【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
ボイラ給水ポンプとボイラへの給水流量を調節する調節弁とを備えたドラムボイラの給水制御装置において、
ドラムレベル設定信号、ドラムレベル信号、ボイラ給水流量信号およびボイラ蒸気流量信号を用いて前記調節弁の弁開度信号を求め、
前記弁開度が増加する方向のときにのみ、前記ボイラ給水流量信号がボイラ給水ポンプ制限流量に近付くにつれて弁開度速度を徐々に零に近付けるように前記調節弁を制御する
ことを特徴とするドラムボイラの給水制御装置。
【請求項２】
ドラムボイラへ給水するボイラ給水ポンプと、ボイラの蒸発量に見合う給水流量を調節するボイラの給水流量調節弁とを備えたドラムボイラの給水制御装置において、
ボイラのドラムレベル設定信号とドラムレベル信号とのレベル偏差信号を求める手段と、
ボイラから取り出す蒸気流量信号とボイラへの給水流量信号との流量偏差信号を求める手段と、
前記レベル偏差信号と前記流量偏差信号に基づいて前記給水流量調節弁の開度信号を求める手段と、
前記給水流量信号がボイラ給水ポンプ制限流量に近付くにつれて前記給水流量調節弁の弁開度速度を徐々に零に近付けるような信号を発生する関数発生手段と、
前記給水流量調節弁の開度信号を求める手段からの出力が弁開度を増加する方向のときのみ前記関数発生手段からの出力を有効とする制限手段と、
を備え、
前記制限手段からの信号を前記給水流量調節弁に出力してボイラへの給水流量を制御する
ことを特徴とするドラムボイラの給水制御装置。
【手続補正２】
【補正対象書類名】明細書
【補正対象項目名】０００１
【補正方法】変更
【補正の内容】
【０００１】
【発明の属する技術分野】
本発明は、ドラムボイラの給水制御装置に係わり、特にボイラ給水ポンプの過負荷によるポンプトリップ等の異常を抑制することにより、常に安定したボイラへの給水供給を可能とするドラムボイラの給水制御装置に関する。
【手続補正３】
【補正対象書類名】明細書
【補正対象項目名】０００２
【補正方法】変更
【補正の内容】
【０００２】
【従来の技術】
従来の装置は、例えば図２に示されるように、ボイラへの給水流量信号２が増加し、給水流量がボイラ給水ポンプの制限流量に達するとこれが信号検出器１６によって検出され、そのときの給水流量調節弁開度信号が信号記憶器１２を介して信号切り替え器１３により切り替えられて信号低値選択器１０へ送信されるようになっていた。即ち、ボイラ給水流量信号２が予め定めた値以上になると信号検出器１６がオン状態となり、信号発生器１１からの信号に代えて、信号記憶器１２からの信号が信号低値選択器１０に出力される。
【手続補正４】
【補正対象書類名】明細書
【補正対象項目名】０００３
【補正方法】変更
【補正の内容】
【０００３】
そして、信号低値選択器１０において、比例積分器９からの信号よりも低値である信号記憶器１２からの信号が選択されて出力される。つまり、信号検出器１６がオン状態になった時の開度信号が信号記憶器１２により与えられるため、信号検出器１６で検出されたときの給水流量調節弁開度以上の値に弁開度が増加しない制御方法が採用されていた。しかしながら、ボイラ給水流量信号２には計測ループの検出遅れが存在するため、実際には、予め定めた値以上に制御されるケースがあった。
【手続補正５】
【補正対象書類名】明細書
【補正対象項目名】０００４
【補正方法】変更
【補正の内容】
【０００４】
このように、ボイラ給水ポンプの制限流量以上に給水流量が増大するとボイラ給水ポンプが過負荷となりプラント運転継続ができなくなることから、給水流量調節弁１５の開度に制限をかける配慮が必要とされる。即ち、給水流量調節弁１５の開度が増大するとそれだけ流量が増加して、前述のように、ポンプに過負荷をもたらすので、これを防ぐために、いかなる場合でもボイラ給水流量を精度良く、ポンプ制限流量以下に制御することが望まれていた。
【手続補正６】
【補正対象書類名】明細書
【補正対象項目名】０００７
【補正方法】変更
【補正の内容】
【０００７】
従って、前記ボイラ給水流量の信号検出器１６によってボイラ給水流量が制限値に達したことを検出したときには、ボイラ給水流量調節弁の開度は前記ボイラ給水流量制限値以上の給水を要求する開度になっている可能性が極めて高く、更に給水流量調節弁の操作指令側の機械的遅れによるオーバーシュートによりボイラ給水ポンプに過大な流量が流れる結果、ポンプモータの過負荷あるいはポンプ吸い込み圧力低下によるポンプの停止ひいてはプラントの停止に至る恐れがあった。
【手続補正７】
【補正対象書類名】明細書
【補正対象項目名】００１０
【補正方法】変更
【補正の内容】
【００１０】
ボイラ給水ポンプとボイラへの給水流量を調節する調節弁とを備えたドラムボイラの給水制御装置において、
ドラムレベル設定信号、ドラムレベル信号、ボイラ給水流量信号およびボイラ蒸気流量信号を用いて前記調節弁の弁開度信号を求め、
前記弁開度が増加する方向のときにのみ、前記ボイラ給水流量信号がボイラ給水ポンプ制限流量に近付くにつれて弁開度速度を徐々に零に近付けるように前記調節弁を制御するドラムボイラの給水制御装置。
【手続補正８】
【補正対象書類名】明細書
【補正対象項目名】００１２
【補正方法】変更
【補正の内容】
【００１２】
図１に示すようにドラムボイラは、信号発生器６からのドラムレベル設定信号と、図示していないドラムレベル検出器からのドラムレベル信号１を減算器４により偏差信号として演算した後、比例積分器７によりボイラ給水流量調節弁開度信号に変換される。さらにドラムからの発生蒸気流量を表すボイラ主蒸気流量信号３とボイラ給水流量信号２とを減算器５により偏差信号として演算し、この偏差信号と、前述のドラムレベル偏差信号から変換されたボイラ給水流量調節弁開度信号とを加算器８により加算する。
【手続補正９】
【補正対象書類名】明細書
【補正対象項目名】００１３
【補正方法】変更
【補正の内容】
【００１３】
すなわち、前記ドラムレベル信号１とボイラ給水流量信号２とボイラ主蒸気流量信号３からなる三要素の合成偏差信号を加算器８により作成する。そして、前記合成偏差信号を比例積分器９を介してボイラの給水流量調節弁１５への開度指令信号を作成し給水流量を制御することになる。
【手続補正１０】
【補正対象書類名】明細書
【補正対象項目名】００１４
【補正方法】変更
【補正の内容】
【００１４】
本実施形態においては、前記比例積分器９からのボイラ給水流量調節弁１５の開度指令信号の出力側に、弁開度増加方向のみ有効な変化率制限器２０を設置し、この変化率設定信号としてボイラ給水流量信号２から関数発生器２１により作成される値を設定し、これにより弁開側動作速度を制御する。
【手続補正１１】
【補正対象書類名】明細書
【補正対象項目名】００１５
【補正方法】変更
【補正の内容】
【００１５】
具体的には関数発生器２１には次に示す特性が付与されている。ボイラ給水流量調節弁１５の開閉速度は、通常制御するに十分な速さで動作するが、ボイラ給水ポンプ制限流量値近くになると弁開側動作速度を徐々に低下させ始めポンプ制限流量値で開側動作速度が零となるように、即ち開方向には増加させないように制御される。図１の（２）は、関数発生器２１の入出力関係を示した図である。関数発生器２１の入力であるボイラ給水流量がポンプ制限流量にまだまだ達しない間は、関数発生器２１の出力である弁開度変化率は１００％で動作するが（１分間で弁が閉から開になる速度を１００％として）、給水流量がポンプ制限流量に近づくにつれて弁開度の速度を徐々に零に近付けるようにしている。
【手続補正１２】
【補正対象書類名】明細書
【補正対象項目名】００１６
【補正方法】変更
【補正の内容】
【００１６】
最終的には、給水流量がポンプ制限流量に達したときには弁開度の速度を零にしているが、これに達するまでの間で徐々に弁開度速度を低下させているので、給水流量がオーバシュートすることはなくなり、このオーバシュートによるポンプ過負荷はなくなる。これらの信号の関係を図３に示す。
【手続補正１３】
【補正対象書類名】明細書
【補正対象項目名】００１７
【補正方法】変更
【補正の内容】
【００１７】
すなわち、弁開度指令信号（比例積分器９（Ｐ＋Ｉ）の出力信号）は、ドラムレベル信号１および減算器５からの偏差信号により、ボイラ給水流量調節弁１５を開方向に動作させる信号となるが、実際のボイラ給水流量信号２がポンプ制限流量値に近づくにつれて、増加方向への開度変化割合が制限され、ポンプ制限流量値で止まる。弁開度指令信号（比例積分器９（（Ｐ＋Ｉ）の出力信号）がポンプ制限流量値以下になれば、変化率制限器２０後の信号は、そのまま出力されることになり、ポンプ制限流量以上にならないように制御されることになる。
【手続補正１４】
【補正対象書類名】明細書
【補正対象項目名】００２０
【補正方法】削除
【補正の内容】
【手続補正１５】
【補正対象書類名】明細書
【補正対象項目名】００２２
【補正方法】変更
【補正の内容】
【００２２】
【発明の効果】
本発明によれば、ボイラ給水流量調節弁開度が増加する方向のとき、ボイラ給水流量信号がボイラ給水ポンプ制限流量値に近づくに従ってボイラ給水流量調節弁の動作速度が遅くなるようにしたため、ボイラ給水ポンプ制限流量値を検出遅れなく確実に検出でき、しかもその時点で給水流量のオーバーシュートなく給水流量調節弁開度を制限することが可能となる。